(57)【要約】【課題】従来、ユーザがコンパネ等で希望の色に変更させる色調整（色相、彩度など）を推測で手動調整し画出しを繰り返して希望の色再現にするといった対応や、使用頻度の少ない（新しくカラー複写機を購入された）ユーザがコンパネによる色調整の方法に戸惑うことなく、ユーザが採取する特定原稿の色を優先させたい場合に容易に特定色の色再現を優先させることができ、無駄な画出しを削減することができる。【解決手段】この発明は、色変換処理をもったデジタル複写機において、特定原稿の色を優先させた修正を色変換用テーブルの補正により実現したものである。【選択図】    図１
2004241981.tif 000002
【特許請求の範囲】
【請求項１】
原稿の画像を読取り、Ｒ、Ｇ、Ｂの画像データを出力する画像読取部と、
この画像読取部からのＲ、Ｇ、Ｂの画像データの色特性を補正した所定の色空間のＬ＊ａ＊ｂ＊値の画像データに変換する第１の色補正部と、
この第１の色補正部からのＬ＊ａ＊ｂ＊値を所望の色空間の色域のＬ＊ａ＊ｂ＊値の画像データに変換する変換テーブルを有する第２の色補正部と、
この第２の色補正部からのＬ＊ａ＊ｂ＊値の画像データの色特性を補正した所定の濃度データＣ、Ｍ、Ｙ、ＢＫ値に変換する第３の色補正部と、
この第３の色補正部からの濃度データＣ、Ｍ、Ｙ、ＢＫ値に基づいて画像を出力する画像出力部と、
上記画像読取部により読取られる原稿の画像データにおいて、優先して色再現を合わせたい原稿の色領域を設定する設定手段と、
この設定手段により設定された原稿の色領域に対する上記画像読取部により読取られる原稿の画像データに基づいて、上記色領域に対応するＲ、Ｇ、Ｂ値を決定する決定手段と、
この決定手段により決定されたＲ、Ｇ、Ｂ値を色空間で現されるＬ＊ａ＊ｂ＊値に変換する変換手段と、
この変換手段により変換されるＬ＊ａ＊ｂ＊値をもとに、上記第２の色補正部の変換テーブルの出力側のＬ＊ａ＊ｂ＊値を修正する修正手段と、
を具備したことを特徴とする画像形成装置。
【請求項２】
上記設定手段が、設定する原稿の色領域を原稿全体に対する座標位置として入力するものであることを特徴とする請求項１に記載の画像形成装置。
【請求項３】
上記設定手段が、設定する原稿の色領域が、上記画像読取部により読取られる原稿の画像データのヒストグラムで頻度の大きい場所を検知することにより得られるものであることを特徴とする請求項１に記載の画像形成装置。
【請求項４】
上記優先して色再現を合わせたい原稿に基づく上記第２の色補正部の変換テーブルの修正を指示する指示手段と、この指示手段の指示に基づいて上記第２の色補正部の変換テーブルのデータを修正する修正手段と、この修正手段による修正が行われたことを示す情報を記憶する記憶手段とを有するものであることを特徴とする請求項１に記載の画像形成装置。
【請求項５】
上記原稿の種類に応じた原稿モードごとに、上記第２の色補正部に複数の異なった変換テーブルを有し、各変換テーブルごとに、修正が行われたことを示す情報を記憶する記憶手段とを有するものであることを特徴とする請求項１に記載の画像形成装置。
【請求項６】
上記設定手段が、上記第１の色補正部の前段あるいは後段に設けられものであることを特徴とする請求項１に記載の画像形成装置。
【請求項７】
上記修正手段が、上記色域の残差を小さくする方向へのオペレータの調整により行われるものであることを特徴とする請求項１に記載の画像形成装置。
【請求項８】
外部装置と画像形成装置とが接続されている画像処理システムにおいて、
上記画像形成装置が、
原稿の画像を読取り、Ｒ、Ｇ、Ｂの画像データを出力する画像読取部と、
この画像読取部からのＲ、Ｇ、Ｂの画像データの色特性を補正した所定の色空間のＬ＊ａ＊ｂ＊値の画像データに変換する第１の色補正部と、
この第１の色補正部からのＬ＊ａ＊ｂ＊値を所望の色空間の色域のＬ＊ａ＊ｂ＊値の画像データに変換する変換テーブルを有する第２の色補正部と、
この第２の色補正部からのＬ＊ａ＊ｂ＊値の画像データの色特性を補正した所定の濃度データＣ、Ｍ、Ｙ、ＢＫ値に変換する第３の色補正部と、
この第３の色補正部からの濃度データＣ、Ｍ、Ｙ、ＢＫ値に基づいて画像を出力する画像出力部と、
上記画像読取部により読取られる原稿の画像データにおいて、優先して色再現を合わせたい原稿の色領域を設定する設定手段と、
この設定手段により設定された原稿の色領域に対する上記画像読取部により読取られる原稿の画像データをサンプリング演算した色空間データを上記外部装置へ出力する第１の出力手段と、
この第１の出力手段の出力に応答して得られる修正された色空間データを修正する修正手段とを有し、
上記外部装置が、
上記画像形成装置から供給される色空間データを修正する修正手段と、
この修正手段により修正された色空間データを上記画像形成装置へ出力する第２の出力手段とを有する、
ことを特徴とする画像処理システム。
【請求項９】
上記設定手段が、設定する原稿の色領域を原稿全体に対する座標位置として入力するものであることを特徴とする請求項８に記載の画像処理システム。
【請求項１０】
上記設定手段が、設定する原稿の色領域が、上記画像読取部により読取られる原稿の画像データのヒストグラムで頻度の大きい場所を検知することにより得られるものであることを特徴とする請求項８に記載の画像処理システム。
【請求項１１】
上記優先して色再現を合わせたい原稿に基づく上記第２の色補正部の変換テーブルの修正を指示する指示手段と、この指示手段の指示に基づいて上記第２の色補正部の変換テーブルのデータを修正する修正手段と、この修正手段による修正が行われたことを示す情報を記憶する記憶手段とを有するものであることを特徴とする請求項８に記載の画像処理システム。
【請求項１２】
上記原稿の種類に応じた原稿モードごとに、上記第２の色補正部に複数の異なった変換テーブルを有し、各変換テーブルごとに、修正が行われたことを示す情報を記憶する記憶手段とを有するものであることを特徴とする請求項８に記載の画像処理システム。
【請求項１３】
上記設定手段が、上記第１の色補正部の前段あるいは後段に設けられものであることを特徴とする請求項８に記載の画像処理システム。
【請求項１４】
上記修正手段が、上記色域の残差を小さくする方向へのオペレータの調整により行われるものであることを特徴とする請求項８に記載の画像処理システム。
【発明の詳細な説明】
【０００１】
【発明の属する技術分野】
この発明は、静電写真プロセスを用いて、対象物の画像を被転写材に複製する画像形成装置に適用可能なカラー画像処理装置と画像処理システムとに関する。
【０００２】
【従来の技術】
近年、印刷物や、オフィスでの作成資料のカラー化が進んだこともありカラーデジタル複写機の利用が増えてきている。
【０００３】
このカラーデジタル複写機でコピーするときの色再現の設定は、一般的な原稿に対してトータル的に色再現のバランスを考慮した調整や、各社の色再現のコンセプト（原稿に対して赤みを強く再現させるなど）を取り入れた調整をした状態でデフォルト出荷していることが多い。
【０００４】
このように、デフォルト出荷の状態ですべての原稿に対して忠実な色再現にするには限界がある。
【０００５】
また、プリンタであらわせる色空間域が狭い場合が多い。
【０００６】
このため、ファッション関連で商品の写真の色再現を重視してコピーするユーザなどは、コピー時に、対象とする原稿の色再現を近くさせるために、コンパネ（コントロールパネル、操作パネル）上からの色調整（色相、彩度など）により手動調整の設定をして対応しているのが現状である。
【０００７】
また、製品によっては、コンパネ上からの色調整を組み合わせたワンタッチ調整機能や、ユーザの設定モードを保存・呼び出し可能な機能（モードメモリ機能）をもたせた製品も発売されている。
【０００８】
このような製品では、色調整した設定内容を登録しておき、前回と同様の原稿をコピーする場合に同様の色再現にすることができる。
【０００９】
一方、技術的には、色再現性を決定している画像処理として色変換処理がある。
【００１０】
この色変換処理の方法として、原画像を色修正させて修正した画像を得る色修正定義作成方法で、色空間上の座標値で修正が定義できる仕組みを用意し、色空間上の特定色領域の場合に、あらかじめ用意した修正色の座標値に修正可能とした方法が文献１によりすでに提案されている。
【００１１】
前記のように、ユーザがコンパネからの色調整（色相、彩度など）により色再現性の調整をさせる時には、ユーザがコンパネ等で希望の色に変更させる調整を推測で手動調整し画出しをして色再現が合うまで繰り返し操作して希望の色再現にしているのが一般的であった。このため、無駄なコピーをとってしまう結果となっていた。
【００１２】
また、モードメモリをもった製品は、一度調整して色調整した設定を記憶等しておくことで、同一の原稿は容易に同様の色再現でコピーすることができるが、原稿が変わってしまった場合は、同様に希望の色になるまで、推測で手動調整して繰り返し画出しをして色再現を確認する必要があった。
【００１３】
また、使用頻度の少ない（新しくカラー複写機を購入された）ユーザの場合には、コンパネによる色調整の方法に戸惑うことも考えられる。
【００１４】
【特許文献１】
特開２００１−３６７６２公報
【００１５】
【発明が解決しようとする課題】
この発明は、従来、ユーザがコンパネ等で希望の色に変更させる色調整（色相、彩度など）を推測で手動調整し画出しを繰り返して希望の色再現にするといった対応や、使用頻度の少ない（新しくカラー複写機を購入された）ユーザがコンパネによる色調整の方法に戸惑うことなく、ユーザが採取する特定原稿の色を優先させたい場合に容易に特定色の色再現を優先させることができ、無駄な画出しを削減することが可能となる画像形成装置と画像処理システムを提供することにある。
【００１６】
【課題を解決するための手段】
この発明の画像形成装置は、原稿の画像を読取り、Ｒ、Ｇ、Ｂの画像データを出力する画像読取部と、この画像読取部からのＲ、Ｇ、Ｂの画像データの色特性を補正した所定の色空間のＬ＊ａ＊ｂ＊値の画像データに変換する第１の色補正部と、この第１の色補正部からのＬ＊ａ＊ｂ＊値を所望の色空間の色域のＬ＊ａ＊ｂ＊値の画像データに変換する変換テーブルを有する第２の色補正部と、この第２の色補正部からのＬ＊ａ＊ｂ＊値の画像データの色特性を補正した所定の濃度データＣ、Ｍ、Ｙ、ＢＫ値に変換する第３の色補正部と、この第３の色補正部からの濃度データＣ、Ｍ、Ｙ、ＢＫ値に基づいて画像を出力する画像出力部と、上記画像読取部により読取られる原稿の画像データにおいて、優先して色再現を合わせたい原稿の色領域を設定する設定手段と、この設定手段により設定された原稿の色領域に対する上記画像読取部により読取られる原稿の画像データに基づいて、上記色領域に対応するＲ、Ｇ、Ｂ値を決定する決定手段と、この決定手段により決定されたＲ、Ｇ、Ｂ値を色空間で現されるＬ＊ａ＊ｂ＊値に変換する変換手段と、この変換手段により変換されるＬ＊ａ＊ｂ＊値をもとに、上記第２の色補正部の変換テーブルの出力側のＬ＊ａ＊ｂ＊値を修正する修正手段とを有する。
【００１７】
この発明の画像処理システムは、外部装置と画像形成装置とが接続されているものにおいて、上記画像形成装置が、原稿の画像を読取り、Ｒ、Ｇ、Ｂの画像データを出力する画像読取部と、この画像読取部からのＲ、Ｇ、Ｂの画像データの色特性を補正した所定の色空間のＬ＊ａ＊ｂ＊値の画像データに変換する第１の色補正部と、この第１の色補正部からのＬ＊ａ＊ｂ＊値を所望の色空間の色域のＬ＊ａ＊ｂ＊値の画像データに変換する変換テーブルを有する第２の色補正部と、この第２の色補正部からのＬ＊ａ＊ｂ＊値の画像データの色特性を補正した所定の濃度データＣ、Ｍ、Ｙ、ＢＫ値に変換する第３の色補正部と、この第３の色補正部からの濃度データＣ、Ｍ、Ｙ、ＢＫ値に基づいて画像を出力する画像出力部と、上記画像読取部により読取られる原稿の画像データにおいて、優先して色再現を合わせたい原稿の色領域を設定する設定手段と、この設定手段により設定された原稿の色領域に対する上記画像読取部により読取られる原稿の画像データをサンプリング演算した色空間データを上記外部装置へ出力する第１の出力手段と、この第１の出力手段の出力に応答して得られる修正された色空間データを修正する修正手段とを有し、上記外部装置が、上記画像形成装置から供給される色空間データを修正する修正手段と、この修正手段により修正された色空間データを上記画像形成装置へ出力する第２の出力手段とを有する。
【００１８】
【発明の実施の形態】
図１は、この発明のカラー画像処理装置を含むカラー画像形成装置の主要な部分を説明するための概略図である。
【００１９】
図１に示すように、カラー画像形成装置１は、スキャナ部２、画像処理部３、プリンタ部４、ＣＰＵ部５、設定情報データ記憶部６、コンパネ部７により構成されている。画像処理部３は、特定色読取データ処理部１１、色変換部１２、後処理部１３により構成されている。色変換部１２は、スキャナ特性色補正部２１、色空間データ色補正部２２、プリンタ特性色補正部２３により構成されている。
【００２０】
スキャナ部２は、原稿を光学系により読取ＣＣＤにより光電変換されたデジタルデータを補正してＲＧＢ信号として出力するものである。
【００２１】
ＣＰＵ部５は、設定情報データ記憶部６のデータリードライト制御やコンパネ部７の入力・表示制御や、コピー時の画質を制御可能な各画像処理部３のレジスタに演算処理等したデータをリードライト制御をするものである。
【００２２】
設定情報データ記憶部６は、コンパネ部７での調整結果やＣＰＵ部５での演算結果等のデータを保存するものである。
【００２３】
コンパネ部７は、コピー時にユーザの好みの画質へ色調整可能とする画質調整などの入力と設定情報などを表示が可能な入力・表示部をもつものである。
【００２４】
特定色読取データ処理部１１は、スキャナ部２からのＲＧＢ信号をヒストグラム分析により色分布を算出し保持するものである。色変換部１２はスキャナ部２からのデータを入力してＣＭＹ濃度データヘ変換するものである。
【００２５】
後処理部１３は、色変換部１２による色変換後のデータを後処理するものであり、図示しないフィルタ処理部や拡大／縮小処理部、墨入れ処理部、階調処理部で構成されていて、各処理用レジスタに対して処理動作の設定を切り替えることで画質を変化させることができる。
【００２６】
すなわち、スキャナ部２により原稿の画像情報を読み取ることにより得られる画像データは、画像処理部３に入力される。この入力された画像データの画素は、加法混色系のＲＧＢ色座標データである。
【００２７】
画像処理部３においては、スキャナ部２により読み取られた画像データの画素毎に、Ｒ、Ｇ、Ｂ色座標データからＣ、Ｍ、Ｙ、ＢＫ色座標データへの色変換（異なる色空間への写像）が行なわれる。これにより、加法混色系で表された画像データが減法混色系の色材でプリント出力することのできるデータに変換される。
【００２８】
色変換された画像データは、プリンタ部４に転送され、例えば紙などの出力媒体に出力（プリントアウト）される。
【００２９】
また、図１により、本発明の色変換部１２の詳細構成例を示す。
【００３０】
色変換部１２は、スキャナ部２からのＲ、Ｇ、Ｂ信号をスキャナ部２の色特性のばらつきなどを補正しＬ＊ａ＊ｂ＊空間へ補正するスキャナ特性色補正部２１と、スキャナ特性色補正部２１により所定の色空間のＬ＊ａ＊ｂ＊値に対して希望する色空間の色域に変換特性をコントロール可能とした色空間データ色補正部２２と、所定の色空間データを入力させたときに、プリンタ出力の色特性のばらつきを補正させて濃度データＣ、Ｍ、Ｙ、ＢＫ値に変換するプリンタ特性色補正部２３から構成される。
【００３１】
これらの各色補正部２１、２２、２３は、ＣＰＵ部５によってリードライトが可能な構成となっている。
【００３２】
以下に、この発明の処理の詳細について、図２に示すフローチャートを参照しつつ説明する。
【００３３】
まず、ユーザが色再現を重視した原稿をコピーをしたときに、希望の色と異なってコピーされたとする。
【００３４】
このとき、ユーザがコンパネ部７上の表示部に図示しない特定色ユーザ補正機能を選択することで（ＳＴ１）、本発明の動作モードに入る。
【００３５】
ここで、まず、特定色原稿座標位置の入力状態であることを知らせるためにコンパネ部７の表示部にメッセージを表示させ、コンパネ部７の入力部から入力する。
【００３６】
この入力は、希望の色再現と異なって出力された原稿を、図示していない座標位置確認シートに挟み、優先して色再現を合わせたい原稿の場所（色領域）を原稿エリア全体に対する座標位置として入力する（ＳＴ２）。原稿位置指定は、確認シートのエリアをペン指定できる。座標エディタヤ位置エリアを読取って
但し、この座標位置指定の入力を、特定色読取データ処理部１１で、あらかじめ設定しておいた複数エリアの範囲内に原稿を置いて検知することも考えられる。
【００３７】
また、スキャナ部２から読み取らせたデータのうち、デフォルトの色再現性に合わせた色空間データ色補正部２２のテーブルデータでは、残差が大きくなることがあらかじめ分かっている指定色空間領域の部分だけを検知範囲として検知する方法も考えられる。
【００３８】
この座標位置の入力を終えたら、特定色読取データ処理部１１に座標位置に対応するデータサンプリング位置の設定を行ったあと、希望する色再現をさせたい原稿をスキャナ部２の原稿台にセットして読取動作をさせる（ＳＴ３）。
【００３９】
この操作により、スキャナ部２からのＲＧＢ信号が出力され、特定色読取データ処理部１１で指定した領域のデータサンプリングが行われヒストグラム分析処理させる。
【００４０】
ヒストグラム分析処理は、指定領域の頻度の多いＲＧＢ値を見つけ、最終的に平均化などにより特定したＲＧＢ値を決定する（ＳＴ４）。
【００４１】
ここで決定されたＲＧＢ値をＣＰＵ部５上に保持させる。
【００４２】
この保持させたＲＧＢ値をもとに、ＣＰＵ部５上で、色変換部１２のスキャナ特性色補正部２１に設定するテーブルデータを活用して、色空間で現されるＬ＊ａ＊ｂ＊値に変換する（ＳＴ５）。
【００４３】
この後、変換されたＬ＊ａ＊ｂ＊値をもとに、あらかじめ色空間データ色補正部２２に設定する変換テーブルデータ（図３参照）と、これに対応する原稿とプリントアウトしたときの色差をあらかじめ記憶しておいた色域毎の色差データを設定情報データ記憶部６から読み出して、この変換されたＬ＊ａ＊ｂ＊値と同様の色域の色差データを抽出し（ＳＴ６）、この色域の残差が小さくなる方向周辺色域へＣＰＵ部５による処理演算をして補正させ、色空間データ色補正部２２に設定する変換テーブルデータの一部を修正して見直しした修正変換テーブルデータ（図４参照）を作成する（ＳＴ７）。
【００４４】
このＣＰＵ部５により補正処理された色空間データ色補正部２２に設定するテーブルデータを、たとえば、コンパネ部７で指定した原稿モードに対応するように、設定情報データ記憶部６に保存するとともに、特定色補正機能が適用されているかを判断できるフラグ情報データを同時にセットする（ＳＴ８）。
【００４５】
これにより特定色ユーザ調整機能モードは完了する。
【００４６】
上記原稿モードとしては、文字／写真モード、文字モード、印刷写真モード、印画紙写真モード、地図モードなどとなっている。文字／写真モードは、文字と印刷写真が混在する原稿、文字モードは、文字（または文字と線画）のみの原稿、印刷写真モードは、グラビアなどの写真原稿、印画紙写真モードは印画紙による写真原稿、地図モードは細かい図形や文字がある原稿の種類ごとに選択されるものである。
【００４７】
上記完了状態において、通常コピーをすると、特定色ユーザ調整が適用されているかを、設定情報データ記憶部６のフラグ情報データを確認し補正が行われている場合には、通常の色空間データ色補正部２２のテーブルデータを書き込む代わりに特定色ユーザ調整機能モードにより修正したテーブルデータを設定情報データ記憶部６より読み出し色空間データ色補正部２２に書き込む。これにより、ユーザの希望する特定色の色再現を優先させたコピー出力を実現できる。
【００４８】
また、別の優先させたい特定色が発生した場合は、同様の方法を繰り返す。
【００４９】
この繰り返し動作の時に、色空間データ色補正部２２に書き込む修正テーブルデータを保持する設定情報データ記憶部６の保存場所を原稿モード毎、または、ユーザ管理毎に分けて持たせることも考えられる。
【００５０】
また、色空間データ色補正部２２に書き込んだ修正テーブルデータと、フラグ情報データは削除が可能である。
【００５１】
また、スキャナ部２からのＲＧＢ値を色変換部１２で処理させず、入力されたＲＧＢ値を無補正のまま、図５に示すように、外部Ｉ／Ｆ部３１よりＰＣ端末３２などにスキャナ出力したあとに、あらかじめ実機の色空間データ色補正部２２のテーブルデータに関連づけたデータを持たせておくことにより、ＧＵＩをもった専用色域解析調整ツールなどで色空間の特定色の色域補正をさせた後に、実機上の設定情報データ記憶部６に戻すことも考えられる。
【００５２】
また、特定色読取データ処理部１１の処理位置を、図６に示すように、色変換部１２のスキャナ特性色補正部２１の後にすることで、ＣＰＵ部５に演算の負担を軽減させて色空間のＬ＊ａ＊ｂ＊値になってからデータを処理させることも考えられる。
【００５３】
また、上記ステップ６の処理後、自動操作されている色域の残差を小さくする方向への調整は、ユーザによって指定させることも考えられる。
【００５４】
この場合の例を、図７に示すフローチャートを参照しつつ説明する。（ステップ１〜６までは、図２参照）
すなわち、色空間データ色補正部２２で、あらかじめ登録してある入力Ｌ＊ａ＊ｂ＊に対する出力Ｌ＊ａ＊ｂ＊のテーブルデータから、決定した入力Ｌ＊ａ＊ｂ＊と図８示す残差情報テーブル（残差データＬ＊ａ＊ｂ＊と出力Ｌ＊ａ＊ｂ＊変更ステップ値と周辺格子点移動数ｘ、ｙ、ｚ）を抽出する（ＳＴ６）。出力Ｌ＊ａ＊ｂ＊変更ステップ値は、コンパネ部７による指定によって出力Ｌ＊ａ＊ｂ＊値を変更する量。周辺格子点移動数ｘ、ｙ、ｚは、変更する周辺色空間の出力Ｌ＊ａ＊ｂ＊の更新する数。残差データＬ＊ａ＊ｂ＊は、出力Ｌ＊ａ＊ｂ＊ごとにあらかじめ決定してある異なる値となっている。
【００５５】
ついで、コンパネ部７上に色空間データの色域に対応する色または色の名称を表示させ、適用させる原稿モードの指定や、明度と彩度の調整値を最小ではなく、現在の色域から明暗などのアップ、ダウン量の調整を指定することで（ＳＴ１１）、色域の残差が指定した色域の方向へ指定した量だけシフトするようにＣＰＵ部５による処理演算をして色空間データ色補正部２２に設定するテーブルデータの一部を修正して見直しした修正テーブルデータを作成する（ＳＴ１２）。
【００５６】
たとえば、コンパネ部７に、決定したＬ＊ａ＊ｂ＊に対応する残差データを表示させ、明度か彩度の調整方向を指定する。ここでは、明度ダウン優先の例により説明する。
【００５７】
この変更した周辺格子点の色空間のテーブルデータを更新して保存する。
【００５８】
これにより、ＣＰＵ部５は、この補正処理された色空間データ色補正部２２に設定するテーブルデータを、たとえば、コンパネ部７で指定した原稿モードに対応するように、設定情報データ記憶部６に保存するとともに、特定色補正機能が適用されているかを判断できるフラグ情報データを同時にセットする（ＳＴ１３）。
【００５９】
上記したように、色変換処理をもったデジタル複写機において、特定原稿の色を優先させた修正を色変換用テーブルの補正により実現したものである。
【００６０】
また、同一機体の読取スキャナを用いて自動補正処理により特定原稿の色を優先させた色変換テーブルに補正することを可能としたものである。
【００６１】
また、同一機体の読取スキャナを用いて特定原稿の色をサンプリング演算した色空間データを外部１／Ｆ部に接続された装置に出力させて、この装置上で調整等修正して色変換用テーブルデータとしてデジタル複写機へもどすことで、特定原稿の色を優先させた色変換テーブルに補正することを可能としたものである。
【００６２】
また、外部の読取手段を用いて特定原稿の色をサンプリング演算した色空間データを外部装置で調整等修正して色変換用テーブルデータとして補正させたデータを外部よりデジタル複写機へもどすことにより、特定原稿の色を優先させた色変換テーブルに補正することを可能としたものである。
【００６３】
さらに、画像入力系の色補正をする画像入力色変換部と、画像出力系の色補正をする画像出力色変換部と、その間に位置した色空間上で色の調整を可能とする色補正部からなる色変換処理をもったデジタル複写機において、読取スキャナを用いて特定色の原稿を読取、色補正部に設定するデータを演算させて修正させる自動補正処理により特定色を優先させた色変換特性に補正することを可能としたものである。
【００６４】
また、画像入力系の色補正をする画像入力色変換部と、画像出力系の色補正をする画像出力色変換部と、その間に位置した色空間上で色の調整を可能とする色補正部をもった色変換処理部と、指定したサンプリング領域のデータを処理する特定色読取データ処理部と、色補正部の修正したテーブルデータを記憶する設定情報データ記憶部と、調整内容の入力と表示をするコンパネ部を持ったデジタル複写機において、読取スキャナを用いて特定色の原稿を読取特定色読取データ処理部で処理した結果をＣＰＵ部で読み出し、色補正部に設定するデータを特定色の色空間を優先させた補正演算をさせることで修正テーブルデータとし、この修正テーブルデータを設定情報データ記憶部に記憶させることにより、特定色を優先させた色変換の自動補正処理を可能としたものである。
【００６５】
さらに、読取スキャナを用いて特定色の原稿を読取特定色読取データ処理部で処理した結果をＣＰＵ部で読み出し、色補正部に設定するデータを特定色の色空間を優先させた補正演算をさせることで修正テーブルデータとし、この修正テーブルデータを複数のモードに分けて設定情報データ記憶部に記憶させることにより、複数のモードで特定色を優先させた色変換の自動補正処理を可能としたものである。
【００６６】
また、画像入力系の色補正をする画像入力色変換部と、画像出力系の色補正をする画像出力色変換部と、その間に位置した色空間上で色の調整を可能とする色補正部をもった色変換処理部と、指定したサンプリング領域のデータを処理する特定色読取データ処理部と、色補正部の修正したテーブルデータを記憶する設定情報データ記憶部と、調整内容の入力と表示をするコンパネ部と、外部ヘデータを入出力可能とする外部１／Ｆ部を持ったデジタル複写機において、読取スキャナを用いて特定色の原稿を読取特定色読取データ処理部で処理した結果をＣＰＵ部で読み出し、この処理データを外部１／Ｆ部で接続された装置に出力させ、この装置上で、色補正部に設定するデータを特定色の色空間を優先させた補正演算をさせることで修正テーブルデータを作成し、この修正テーブルデータを再度外部１／Ｆ部よりデジタル複写機側に入力して、設定情報データ記憶部６に記憶させることにより、特定色を優先させた色変換処理を可能としたものである。
【００６７】
また、画像入力系の色補正をする画像入力色変換テーブルデータと、画像出力系の色補正をする画像出力色変換テーブルデータと、その間に位置した色空間上で色の調整を可能とする色補正テーブルデータを管理しているＣＰＵ部により色変換テーブルに設定するデータを演算させ色変換部に設定する構成を持ち、指定したサンプリング領域のデータを処理する特定色読取データ処理部と、色補正部の修正したテーブルデータを記憶する設定情報データ記憶部を持ったデジタル複写機において、同一機体の読取スキャナを用いて特定色の原稿を読取、特定色読取データ処理部で処理した結果し、この結果をＣＰＵ部で読み出し、色変換部に設定するデータを特定色の色空間を優先させた補正演算をさせた修正テーブルデータとし、この修正テーブルデータを設定情報データ記憶部に記憶させることにより、特定色を優先させた色変換の自動補正処理を可能としたものである。
【００６８】
【発明の効果】
以上詳述したように、この発明によれば、従来、ユーザがコンパネ等で希望の色に変更させる色調整（色相、彩度など）を推測で手動調整し画出しを繰り返して希望の色再現にするといった対応や、使用頻度の少ない（新しくカラー複写機を購入された）ユーザがコンパネによる色調整の方法に戸惑うことなく、ユーザが採取する特定原稿の色を優先させたい場合に容易に特定色の色再現を優先させることができ、無駄な画出しを削減することが可能となる画像形成装置と画像処理システムを提供できる。
【図面の簡単な説明】
【図１】この発明の画像形成装置の主要な部分を説明するための概略ブロック図。
【図２】この発明の処理の詳細を説明するためのフローチャート
【図３】色空間データ色補正部に設定する変換テーブルデータを説明するための図。
【図４】色空間データ色補正部に設定する変換テーブルデータを説明するための図。
【図５】画像処理システムの構成例を示すブロック図。
【図６】画像形成装置の他の構成例を示すブロック図。
【図７】この発明の処理の詳細を説明するためのフローチャート
【図８】残差情報テーブルを説明するための図。
【符号の説明】
１…カラー画像形成装置、２…スキャナ部、３…画像処理部、４…プリンタ部、５…ＣＰＵ部、６…設定情報データ記憶部、７…コンパネ部、１１…特定色読取データ処理部、１２…色変換部、２１…スキャナ特性色補正部、２２…色空間データ色補正部、２３…プリンタ特性色補正部。
【図１】
2004241981.tif 000003
【図２】
2004241981.tif 000004
【図３】
2004241981.tif 000005
【図４】
2004241981.tif 000006
【図５】
2004241981.tif 000007
【図６】
2004241981.tif 000008
【図７】
2004241981.tif 000009
【図８】
2004241981.tif 000010